(57)【要約】【課題】構造が単純で操作しやすい電気エネルギー自家蓄積型の懐中電灯を提供する。【解決手段】電気エネルギー自家蓄積型手動ひねり式懐中電灯はランプキャップと円筒形ケーシングとを備える。ケーシングは軸線を中心として二つの方向にひねることが可能な前方ケーシングと後方ケーシングとを備える。ランプキャップは前方ケーシングに固定されている。前方ケーシングの内部には発電機とエネルギー蓄積要素と回路基板と制御スイッチとが設けられている。前方ケーシングの外部には制御スイッチに対応した押しボタンが設けられている。発電機の出力端は回路基板の入力端にリード線を介して接続されている。回路基板の出力端はエネルギー蓄積要素に接続されている。発電機の回転シャフトはギア装置で後方ケーシングに接続されている。本発明は構造が単純且つコンパクトである上、外形が規則的且つ一様となる。【選択図】      図１
2007173202.tif 000002
【特許請求の範囲】
【請求項１】
電気エネルギー自家蓄積型手動ひねり式懐中電灯であって、ランプキャップと円筒形ケーシングとを備え、前記ケーシングは、軸線を中心として二つの方向にひねることが可能である前方ケーシングおよび後方ケーシングを備え、前記ランプキャップは前記前方ケーシングに固定されており、前記前方ケーシングの内部には、発電機と、エネルギー蓄積要素と、回路基板と、制御スイッチとが設けられており、前記前方ケーシングの外部には、前記制御スイッチに対応した押しボタンが設けられており、前記発電機の出力端は前記回路基板の入力端にリード線を介して接続されており、前記回路基板の出力端は前記エネルギー蓄積要素に接続されており、前記発電機の回転シャフトはギア装置を介して前記後方ケーシングに接続されている、電気エネルギー自家蓄積型手動ひねり式懐中電灯。
【請求項２】
前記前方ケーシングは、前方から後方に向かって、ランプキャップ取り付けチャンバと、エネルギー蓄積回路取り付けチャンバと、発電機取り付けチャンバと、ギア装置取り付けチャンバとに、連続的に分割されている、請求項１に記載の電気エネルギー自家蓄積型手動ひねり式懐中電灯。
【請求項３】
前記前方ケーシングと前記後方ケーシングとは相互に嵌合し、前記前方ケーシングはその基端部において、前記後方ケーシングの内径に適合した細い円筒部を有し、その細い円筒部の内壁は前記ギア装置に適合した階段形状に形成されており、前記後方ケーシングの底壁には、前記前方ケーシングの細い円筒部の端部の内径に適合した環状突起が設けられている、請求項１に記載の電気エネルギー自家蓄積型手動ひねり式懐中電灯。
【請求項４】
前記エネルギー蓄積要素及び前記回路基板は前記前方ケーシング内部にフレームによって固定されており、前記制御スイッチは前記回路基板に固定されており、前記押しボタンは前記制御スイッチの上方に配置され、かつ前記前方ケーシングの側壁に設けられた押しボタン用の孔から外側に突出している、請求項１に記載の電気エネルギー自家蓄積型手動ひねり式懐中電灯。
【請求項５】
前記回路基板の上に、前記発電機の交流を直流に変換する整流回路が設けられている、請求項４に記載の電気エネルギー自家蓄積型手動ひねり式懐中電灯。
【請求項６】
前記回路基板の上に、前記発光要素と前記エネルギー蓄積要素とを保護する電圧調整回路が設けられている、請求項５に記載の電気エネルギー自家蓄積型手動ひねり式懐中電灯。
【請求項７】
前記フレームは凝縮シェードと一体化して形成され、前記エネルギー蓄積要素と前記フレームとの間に弾性パッドが設けられている、請求項６に記載の電気エネルギー自家蓄積型手動ひねり式懐中電灯。
【請求項８】
前記発電機は前記前方ケーシング内部に、取り付け孔を有するために開口しているバッフルによって固定される、請求項１に記載の電気エネルギー自家蓄積型手動ひねり式懐中電灯。
【請求項９】
前記ランプキャップは、凝縮シェードと、レンズと、ランプキャップカバーとを備え、前記凝縮シェードが前記前方ケーシングの前方ポートに設けられており、前記ランプキャップカバーは、環状形状を有し、前記前方ケーシングとねじ込み式で連結されることによって、前記レンズを前記凝縮シェードの開口部に緊密に押し付ける、請求項１乃至７のいずれか１項に記載の電気エネルギー自家蓄積型手動ひねり式懐中電灯。
【請求項１０】
前記ランプキャップカバーは内側環状体と外側環状体とを備え、この２つの環状体はＶ字型の断面を成しており、前記外側環状体は、相対的に長く、かつ前記ケーシングとねじ込み式で連結されており、前記内側環状体は、相対的に短く、かつ前記レンズに緊密に押し付けられており、前記レンズの環状接触面と前記凝縮シェードの環状接触面との間にシールリングが設けられている、請求項９に記載の電気エネルギー自家蓄積型手動ひねり式懐中電灯。
【発明の詳細な説明】
【技術分野】
【０００１】
本発明は家庭用電気器具に関し、中でも、電気エネルギー自家蓄積型の手動ひねり式懐中電灯（Ｈａｎｄ  Ｔｗｅａｋ  Ｔｏｒｃｈ）に関する。
【背景技術】
【０００２】
手動懐中電灯は、一時的な照明器具としてよく用いられている。大抵の既存の手動懐中電灯はランプキャップと円筒形ケーシングとから成る。ケーシング内の乾電池は、リード線を介してランプキャップ内部の電球に接続されている。ケーシングの外面上には制御スイッチが設けられている。このタイプの手動懐中電灯は単純な構造で操作しやすいので広く用いられ、従って手動懐中電灯市場を長期に亘って占有してきた。しかし、このタイプは電力を乾電池により供給するので、電池の交換ペースが相当に早い。このことで、使用コストが増大するのみならず、消耗した電池をリサイクルする際にかなりの困難を生じることになる。ささいな不注意でも深刻な環境汚染を引き起こしかねない。そこで、蓄電池により電力を供給される懐中電灯が創り出された。このタイプの懐中電灯の蓄電池は手動操作で充電可能である。このタイプは乾電池により電力を供給される懐中電灯の不都合を回避するものの、依然として構造に問題がある。主要な問題は、発電機を可動ハンドルにより駆動する必要がある点に見られる。このタイプは構造が複雑で外形が不恰好であるのみならず、操作もし難い。よって、使用効果は望ましくない。
【発明の開示】
【発明が解決しようとする課題】
【０００３】
先行技術の不都合を鑑みて、本発明の目的は、構造が単純で操作しやすい電気エネルギー自家蓄積型手動ひねり式懐中電灯を提供することにある。
【課題を解決するための手段】
【０００４】
前述の目的を達成する為に、本発明では以下の技術的解決策を採用した。電気エネルギー自家蓄積型手動ひねり式懐中電灯は、ランプキャップと円筒形ケーシングとを備える。ケーシングは、軸線を中心として二つの方向にひねることが可能な前方ケーシングと後方ケーシングとを備える。ランプキャップは前方ケーシングに固定されており、前方ケーシングの内部には、発電機と、エネルギー蓄積要素と、回路基板と、制御スイッチとが設けられている。前方ケーシングの外部には、制御スイッチに対応した押しボタンが設けられている。発電機の出力端は回路基板の入力端にリード線を介して接続されており、回路基板の出力端はエネルギー蓄積要素に接続されている。発電機の回転シャフトはギア装置を介して後方ケーシングに連結されている。
【０００５】
前方ケーシングは、前方から後方に向かって、ランプキャップ取り付けチャンバと、エネルギー蓄積回路取り付けチャンバと、発電機取り付けチャンバと、ギア装置取り付けチャンバとに連続的に分割されている。
【０００６】
前方ケーシングと後方ケーシングとは互いに嵌合する。前方ケーシングはその基端部において、後方ケーシングの内径に適合した細い円筒部を有し、その細い円筒部の内壁はギア装置に適合するように階段形状に形成されている。後方ケーシングの底壁の上には前記円筒部の端部の内径に適合した環状突起が設けられている。
【０００７】
前方ケーシング内部には、エネルギー蓄積要素及び回路基板がフレームによって固定されている。回路基板には制御スイッチが固定されており、制御スイッチの上方には押しボタンが配置され、この押しボタンは前方ケーシングの側壁の押しボタン用の孔から外側に
突出している。
【０００８】
回路基板の上には、発電機の交流を直流に変換する整流回路が設けられている。
回路基板の上には、発光要素とエネルギー蓄積要素とを保護する電圧調整回路が設けられている。
【０００９】
フレームは凝縮シェード（ｃｏｎｄｅｎｓａｔｉｏｎ  ｓｈａｄｅ）と一体化して形成され、エネルギー蓄積要素とフレームとの間には弾性パッドが設けられている。
発電機は前方ケーシング内部に、取り付け孔を有することで開放しているバッフルによって固定されている。
【００１０】
ランプキャップは、凝縮シェードと、レンズと、ランプキャップカバーとを備える。凝縮シェードは前方ケーシングの前方ポートに設けられている。ランプキャップは環状の形状を有し、ランプキャップは前方ケーシングにねじ込み式で連結されて、レンズを凝縮シェードの開口部に緊密に押し付ける。
【００１１】
ランプキャップカバーは、内側環状体と外側環状体とを備える。この２つの環状体はＶ字型の断面を成している。外側環状体は相対的に長く、ケーシングとねじ込み式で連結されており、内側環状体は相対的に短く、レンズに緊密に押し付けられている。レンズの環状の接触面と凝縮シェードの環状の接触面との間にはシールリングが設けられている。
【００１２】
本発明の手動懐中電灯の本体全体はほぼ円筒形である。本体は前方部と後方部とから成る。前記２つの部分を互いに対し円筒の軸線を中心としてひねることができる。後方ケーシングをひねることにより、後方ケーシングに連結されたギア装置を駆動して回転する。ギア装置は、駆動部材として該ギア装置に連結された発電機を駆動して回転させるという機能に加え、回転速度を増幅する機能も果たす。発電機の回転は交流を生成し、この交流はリード線を介して回路基板へ送られる。整流後に直流が出力されて、エネルギー蓄積要素が充電される。エネルギー蓄積要素が完全に充電された後に、押しボタンを押すとスイッチが閉鎖され、エネルギー蓄積要素と発光要素との間の回路が通じて、発光要素が発光し得る。既存の可動ハンドル（ｒｏｃｋ  ａｒｍ）タイプのエネルギー蓄積型手動懐中電灯と異なり、本発明の発電方法は、懐中電灯の外側のケーシングを直接ひねって発電機を駆動して回転させるというものである。回転方向に関して、懐中電灯の軸線を中心として懐中電灯のケーシングを直接、二つの方向に回転させるだけでよく、可動ハンドルを別の平面で回転させる必要はない。従って、本発明は構造が単純且つコンパクトである上に、外形が規則的且つ一様である。更に、本発明は操作し易いので労力が省ける。よって、本発明は操作に関し卓越した効果を有する。
【発明を実施するための最良の形態】
【００１３】
本発明について、図を参照して以下に更に詳細に記載する。
図１に示すように、前方ケーシング１０の両端はともに開放している。前方ケーシング１０の側壁は押しボタン用の孔を有するために開口している。前方ケーシング１０の基端部は、後方ケーシングに挿入できるように、より細い円筒部の形状を有し、これにより、この２つのケーシングを相対的に回転するようにひねることができる。前記円筒部の内壁は、遊星ギア装置の取り付けを容易にするように段階的に後退した複数の段を有する形状に形成されている。前方ケーシングの内側チャンバは、前方から後方に、ランプキャップ取り付けチャンバと、エネルギー蓄積回路取り付けチャンバと、発電機取り付けチャンバと、遊星ギア装置取り付けチャンバとに、連続的に分割されている。後方ケーシング１の外径は前方ケーシング１０の外径と一致しており、後方ケーシング１の内径は、前方ケーシングの基端の前記円筒部に適合している。後方ケーシングの底壁には、前方ケーシングの基端の前記円筒部の端の内径に適合した環状突起が設けられている。前方ケーシング１
０と後方ケーシング１とは相互に嵌合され、この２つのケーシングを、線軸を中心として、二方向にひねることが可能である。遊星ギア装置２の電力入力端は後方ケーシング１の底壁に接続され、電力出力端は発電機３の回転軸に接続されている。発電機３は前方ケーシング１０内部に、取り付け孔を有することにより開口しているバッフルを介して固定されている。バッフルはケーシング内部の段に緊密に押し付けられる。発電機３はリード線を介して回路基板５に接続され、回路基板はエネルギー蓄積要素６に接続されている。回路基板の上には、発電機の交流を直流に変換する整流回路と、発光要素とエネルギー蓄積要素とを保護する電圧調整回路とが設けられている。エネルギー蓄積要素６及び回路基板５は前方ケーシング内部にフレームによって固定されている。スイッチ８は回路基板５に固定されている。押しボタン７は制御スイッチの上方に配置され、前方ケーシングの側壁の貫通孔から外側に突出している。フレームは凝縮シェードと一体化して形成され、前記エネルギー蓄積要素６とフレームとの間には弾性パッドが設けられている。凝縮シェードは前方ケーシングの前方ポートに設けられている。前方ポートの外周面には雄ねじが設けられている。ランプキャップカバー１２は内側環状体と外側環状体とを備え、この２つの環状体はＶ字型の断面を成しており、外側環状体は相対的に長く、前方ケーシングとねじ込み式で連結されており、内側環状体は相対的に短く、レンズ１１を凝縮シェードの開口部に対して緊密に押し付けている。レンズ１１の環状接触面と凝縮シェードの環状接触面との間にはシールリングが設けられている。
【００１４】
本製品は新しい電気エネルギー自家蓄積型手動ひねり式懐中電灯である。この中の発電機は、手動懐中電灯のケーシングの基端部を二つの方向のうち少なくともどちらかにひねることにより、手動懐中電灯の軸を中心に回転するように駆動され、これにより、運動エネルギーが電気エネルギーに変換され、その電気エネルギーを後で照明に使う為に蓄積する。
【００１５】
本発明は前述の好適な実施形態に限定されていない。本発明の着想の下で他の形態の製品を得ることができる。例えば、異なる種類のギア装置を採用したり、前方ケーシング及び後方ケーシングに他の回転構造を採用したりすることが可能である。しかしながら、どんなに形状や構造を変更しても、エネルギー蓄積型手動懐中電灯はどれも、懐中電灯の発電機が前方ケーシングと後方ケーシングとが相対的に回転することにより駆動されている限りは、本発明の保護の範囲内にある。
【図面の簡単な説明】
【００１６】
【図１】本発明の電気エネルギー自家蓄積型手動ひねり式懐中電灯を示す断面概略図。
【符号の説明】
【００１７】
１…後方ケーシング、２…遊星ギア装置、３…発電機、４…リード、５…回路基板、６…エネルギー蓄積要素、７…押しボタン、８…スイッチ、９…ＬＥＤランプ、１０…前方ケーシング、１１…レンズ、１２…ランプキャップカバー。
【図１】
2007173202.tif 000003